(57)【要約】【課題】企業が独自に定めてインターネットユーザーに告知していた数字列からなるコードを、共通のポータルサイトから短い１アドレスの入力で利用できるようにすることで、各種企業が提供する情報源への容易なアクセスをインターネットユーザーに提供する。【解決手段】言語文字列とこれに続く短い数字列からなる、覚えやすい簡易化アドレスであって、入力されたアドレスの言語文字列部が、クライアントが定めた、企業名、提供サービス、広告フレーズ、商品名などである場合、本システムが分離した数字列をクライアントが管理するＷｅｂサイトで独自に運用するコードを構築しているサーバーに引数として渡すことで、企業などの各クライアントが独自に運用している数字コードをグローバル化することを特徴とするシステム。【選択図】図１
2005196713.tif 000002
【特許請求の範囲】
【請求項１】
インターネット上のポータルサイトにおけるインターネット端末装置からインターネットユーザーが入力する言語文字列の後に数字列をもつ簡易化アドレスであって、言語文字列がクライアントの定めた言語文字列であることと、ポータルサイトのサーバーが数字列を分離することと、クライアントによって管理されているサーバーが、インターネットからの数字列の受信によりクライアントのインターネットサービスを提供できる機能をもつことと、前期クライアントのサーバーにポータルサイトが分離した数字列をインターネット経由で渡すことを特徴とするシステム。
【請求項２】
インターネット上のポータルサイトにおけるインターネット端末装置からインターネットユーザーが入力する言語文字列の後に数字列をもつ簡易化アドレスであって、言語文字列がクライアントの定めた言語文字列であることと、ポータルサイトのサーバーが数字列を分離することと、クライアントによって管理されているサーバーが、インターネットからの数字列の受信によりクライアントのインターネットサービスを提供できる機能をもつことと、前期クライアントのサーバーにポータルサイトが分離した数字列がデータベースと一致した場合に数字列の後ろに続く文字列をインターネット経由で渡すことを特徴とするシステム。
【請求項３】
請求項１の簡易化アドレスの数字列が言語文字列の前であるシステム。
【発明の詳細な説明】
【技術分野】
【０００１】本発明は、インターネット上のＷｅｂサイトが提供するサービスを簡便にするシステムに関する。
【背景技術】
【０００２】インターネットを活用する企業のＷｅｂサイトは、多くの情報を多数のＷｅｂページに記載しているため、各企業は自社内Ｗｅｂサイトの特定のページやダウンロードなどのサービスを提供するアドレスに、インターネットユーザーを容易に導く必要があり、独自に数字列を定め、Ｗｅｂサイト内の目次や、出版物、キャンペーン広告などでユーザーに告知して利用を促していた。【０００３】ところがそれぞれの企業のＷｅｂサイトをインターネットユーザーが探して、たどり着いたあと、数字列によりサービスが受けられる入力窓をサイト内で更に探したのち、やっとサービスを受けるための数字列が入力でき、また別な企業の運用する数字列のサービスを受けるためには同じ作業を繰り返す必要があるため、インターネットユーザーがいろいろな企業の数字列サービスを受けようとするときに手間がかかった。また企業によって数字列を入力する入力窓をサイト内のどこに置くかがまちまちで、入力窓を探す作業が画一でなかった。
【発明が解決しようとする課題】
【０００４】企業が独自に定めてインターネットユーザーに告知している主に数字列からなるコードを、インターネットユーザーが共通のポータルサイトからどの企業にも一つのアドレスの入力でアクセスできるようにすることで、前記コードを利用したサービスを簡便にするシステムを提供する。
【課題を解決するための手段】
【０００５】本明細書で定義される“ユーザー”とは、インターネット端末としての機能をもったパソコン、携帯電話、携帯情報端末などの機器を使用してインターネットから本発明のシステムに接続し得る利用者を示す。
本明細書で定義される“クライアント”とは、インターネットに接続してあるＷｅｂサイトが構築されているサーバーを所有または賃借している情報発信者であって、本システムの簡易化アドレスに登録している個人あるいは企業を含む団体を示す。
本明細書で定義される“プラットフォーム”とは、オペレーションシステム、アプリケーションを持ちインターネット端末としての機能をもったパソコン、携帯電話、携帯情報端末などの機器を示す。
本明細書で定義される“言語文字列”とはポータルサイトを運用する国の言語を理解す個人が一般的な生活で、少なくとも抽象的に理解できる文字列であり、事物、形容詞を持つ事物、“楽しい”や“とくとく”など特定の事物を表さない事象も含む。
本明細書で定義される“アクセス”とはホームページの表示、コンテンツのダウンロードなどの、Ｗｅｂサイト内の情報サービスを受けることを示す。
本明細書で定義される“Ｗｅｂサイト独自コード”とはＷｅｂサイト内の管理者が独自に決めた、インターネットユーザーを容易に各種サービスに導くための文字コードを示す。
【０００６】図１は本発明のシステムを示したものである。
言語文字列とこれに続く短い数字列からなる、覚えやすいアドレスで、あらかじめこのアドレスに割り当てたＵＲＬをアクセスして表示するシステムを提供している簡易化アドレスシステムに、本発明では企業などのクライアントが独自に提供している文字コードを組み入れることができる。
【特許文献１】特願２００３−１９１４９８
【０００７】本システムの前提として、図１に示すインターネットに接続しているクライアントによってＷｅｂサイト独自コードを管理するサーバー１１が運用されている必要がある。
これにより企業は独自の数字からなるコードで企業内のＷｅｂサイトページあるいはサービスに、容易にアクセスできる仕組みを構築している。
この運用は通常トップページにコード入力窓を設け、コードが表示してある出版物をみたユーザーがこの入力窓からコードを入力し、Ｅｎｔｅｒキーあるいは実行ボタンをマウスでクリックすることで、企業が提供するユーザーが求める情報源に直ちにアクセスできるようにしている。
しかしこのコードの入力窓は企業のＷｅｂサイト内だけであり、ユーザーは先ずこの企業のＷｅｂサイトにたどりつく必要があった。
【０００８】本発明では前記クライアント独自のコードに、言語文字列とこれに続く短い数字列からなる簡易化アドレスのポータルサイトからアクセスできる仕組みであって、クライアントが定めた自社の名称、提供サービス、広告フレーズ、商品名などの言語文字列の情報をポータルサイト内のサーバーのデータベースにあらかじめ記憶しておき、ポータルサイトにユーザーが入力した言語文字列と前記データベースの内容と一致した場合、クライアントがＷｅｂサイトで運用する独自コードの管理サーバーにユーザー入力情報を送信する仕組みである。
請求項１によれば、前記分離した簡易アドレス後部の数字列の部分を、クライアントのサーバーに対して引数として本システムが送信する。
これを受けたクライアントのサーバーは管理者があらかじめ決めたＷｅｂサイトのページや、ソフトや書類のダウンロード、インターネット電話、動画など各種サービスをインターネットユーザーに提供する。
【０００９】例えばインターネットユーザーがポータルサイトに「トップ製作所１００１」と入力し送信した場合、ポータルサイトのサーバーが「トップ製作所」と「１００１」を分離し、データベースからトップ製作所が管理する独自コードの管理サーバーのＵＲＬと引数の仕様を引き出し、「１００１」を仕様に沿って引数として加えたのち送信することで、トップ製作所が運用する独自コードの「１００１」コードに割り当てた、例えば新製品の動画コンテンツの視聴などといったサービスを、インターネットユーザーは受けることができる。
【００１０】請求項２によれば、更に、前記分離した後ろの数字列までデータベースのあらかじめ登録されている内容と一致した場合、ユーザーが数字列の後ろに記述した文字列をクライアントのＷｅｂサイト独自コード管理サーバーに対して引数として本システムが送信する。
【発明の効果】
【００１１】企業がインターネットで提供している数字列サービスの利用を簡便にするシステムを提供することで、サービス自体の販売、企業の提供するキャンペーン企画からの収入、広告収入などが得られる。
【発明を実施するための最良の形態】
【００１２】本システムではクライアントのサーバーとポータルサイトサイトのサーバーとを簡易化アドレスで連携することにより、多くの企業のサービスを簡便にインターネット利用者に提供できるようになった。
【実施例】
【００１３】インターネット１にユーザー２が接続して、クライアント３もまたインターネット１に接続している。
本システムはインターネット１に接続したシステムサーバー４が、本ポータルサイト５の入り口になっており、一般ユーザーはまず本ポータルサイト５にプラットフォーム８で接続して、一般ユーザーはサイト内のアドレスフィールドに簡易化アドレスを入力し送信キーを押す。これによりユーザーの入力した簡易化アドレスがポータルサイト５に送信され、システムサーバー４を介しＪａｖａアプリケーションサーバー６により、言語文字列と数字列に分離した後、言語文字列はカテゴリとしての引数としてカテゴリデータベース７に登録の有無を検索にいく。
このＪａｖａアプリケーションサーバー６の実行でカテゴリデータベース７をもとに検索した結果、クライアントが定めたコードを利用するためのあらかじめ決められ言語文字列と一致した場合、Ｊａｖａアプリケーションサーバーは数字列に対応したＵＲＬ情報を格納したジャンプ先のデータベースとして機能しているＵＲＬデータベース１０からＵＲＬと引数の送信仕様を引き出し、仕様に沿ってＵＲＬに数字部を加え、インターネット経由でクライアントのＷｅｂサイト独自コード管理サーバー１１に送信することにより、ユーザーのプラットフォーム８にクライアントが定めたサービスが提供できる。
図２に前記動作をフロー図に示す。
【産業上の利用可能性】
【００１４】個人のインターネットユーザーだけではなく、企業間あるいは企業内での利便性の向上にも役立つ。
【図面の簡単な説明】
【図１】  本案のシステム構成図
【図２】  本案のフロー図
【図１】
2005196713.tif 000003
【図２】
2005196713.tif 000004